(57)【特許請求の範囲】
【請求項１】
撮像部によって検出された信号強度情報に基づいて、前記信号強度情報に含まれている前記撮像部に発生した暗電流の大きさを示す暗電流成分を抽出する抽出部と、
前記抽出部によって抽出された前記暗電流成分に応じて、前記信号強度情報における有効な信号強度の範囲を前記暗電流成分の信号強度であって前記暗電流の大きさに対応して複数の段階に区分されている当該信号強度の前記段階に応じた所定のしきい値によって設定する設定部と、
前記信号強度情報を、前記設定部によって設定された前記範囲を有効な情報とする補正情報に変換する変換部と
を備える画像処理装置。
【請求項２】
前記変換部によって変換された前記補正情報を、前記しきい値の段階に応じた所定のガンマ値によってガンマ補正をする補正部
を備える請求項１に記載の画像処理装置。
【請求項３】
所定の前記ガンマ値のうちから、前記補正部に供給される前記ガンマ値を選択する選択部
を備える請求項２に記載の画像処理装置。
【請求項４】
撮像対象を撮像した画像の信号強度情報を検出する撮像部と、
請求項１から請求項３までのいずれか一項に記載の画像処理装置と
を備える撮像装置。
【請求項５】
撮像対象を撮像した画像の信号強度情報を検出する撮像部と、
前記撮像部の撮像条件に基づいて、前記撮像部によって検出された前記信号強度情報のうち有効な情報とする信号強度の範囲を、暗電流成分の信号強度であって暗電流の大きさに対応して複数の段階に区分されている当該信号強度の前記段階に応じた所定のしきい値によって設定する設定部と、
検出された前記信号強度情報から、前記設定部によって設定された前記範囲を有効な情報とする補正情報に変換する変換部と
を備える撮像装置。
【請求項６】
前記撮像条件には、
前記撮像部が前記撮像対象を撮像する撮像感度が含まれる
請求項５に記載の撮像装置。
【請求項７】
前記撮像条件には、
前記撮像部が前記撮像対象を撮像する露光時間が含まれる
請求項５または請求項６に記載の撮像装置。
【請求項８】
撮像対象を撮像した画像の信号強度情報を検出する撮像部と、
前記撮像部の温度を検出する検出部と、
前記検出部が検出した前記温度に基づいて、前記撮像部によって検出された前記信号強度情報のうち有効な情報とする信号強度の範囲を、暗電流成分の信号強度であって暗電流の大きさに対応して複数の段階に区分されている当該信号強度の前記段階に応じた所定のしきい値によって設定する設定部と、
検出された前記信号強度情報と前記設定部によって設定された前記範囲とに基づいて、前記信号強度情報から、設定された前記範囲を有効な情報とする補正情報に変換する変換部と
を備える撮像装置。
【請求項９】
撮像部によって検出された信号強度情報に基づいて、前記撮像部が生成する暗電流による暗電流成分を前記信号強度情報から抽出する抽出部と、
前記抽出部によって抽出された前記暗電流成分の信号強度に基づいて、前記信号強度情報を補正するガンマ値を前記暗電流成分の信号強度であって前記暗電流の大きさに対応して複数の段階に区分されている当該信号強度の前記段階に応じた所定のしきい値によって設定する設定部と
前記設定部によって設定された前記ガンマ値に基づいて、前記撮像部によって検出された前記信号強度情報をガンマ補正する補正部と
を備える画像処理装置。
【請求項１０】
画像処理装置が備えるコンピュータに、
撮像部によって検出された信号強度情報に基づいて、前記撮像部が生成する暗電流による暗電流成分を前記信号強度情報から抽出する抽出ステップと、
前記抽出ステップによって抽出された前記暗電流成分の信号強度に応じて、前記信号強度情報のうち有効な情報とする信号強度の範囲を前記暗電流成分の信号強度であって前記暗電流の大きさに対応して複数の段階に区分されている当該信号強度の前記段階に応じた所定のしきい値によって設定する設定ステップと、
検出された前記信号強度情報から、前記設定ステップによって設定された前記範囲を有効な情報とする補正情報に変換する変換ステップと
を実行させるためのプログラム。
【発明の詳細な説明】
【技術分野】
【０００１】
本発明は、画像処理装置、撮像装置及びプログラムに関する。
【背景技術】
【０００２】
従来、固体撮像素子によって生じる暗電流によるノイズが含まれる画像データからノイズを除去する補正処理を行う撮像装置（例えば、電子カメラ）が知られている（例えば、特許文献１を参照）。この暗電流の大きさは、固体撮像素子の温度に依存するため、露光時間や撮像感度などの撮像条件によって、この暗電流の大きさが変化することがある。このため、このような撮像装置が備える画像処理装置は、生じた暗電流の大きさに応じて、除去するノイズの大きさを変えて、画像データからノイズを除去する補正処理を行っている。
【先行技術文献】
【特許文献】
【０００３】
【特許文献１】特開２０００−１５２０９２号公報
【発明の概要】
【発明が解決しようとする課題】
【０００４】
しかしながら、例えば、上述のような撮像装置が備える画像処理装置において、補正後の画像データの画質は、暗電流の値が大きい場合を想定した所定の画質に設定されることがある。つまり、上述のような撮像装置が備える画像処理装置は、生じた暗電流の値が小さい場合であっても、補正後の画像データの画質を所定の画質以上に向上させることができないという問題があった。
【０００５】
本発明は、上記問題を解決すべくなされたもので、その目的は、補正後の画像データの画質を向上させることができる画像処理装置を提供することにある。
【課題を解決するための手段】
【０００６】
本発明の一実施形態は、撮像部によって検出された信号強度情報に基づいて、前記信号強度情報に含まれている前記撮像部に発生した暗電流の大きさを示す暗電流成分を抽出する抽出部と、前記抽出部によって抽出された前記暗電流成分に応じて、前記信号強度情報における有効な信号強度の範囲を前記暗電流成分の信号強度であって前記暗電流の大きさに対応して複数の段階に区分されている当該信号強度の前記段階に応じた所定のしきい値によって設定する設定部と、前記信号強度情報を、前記設定部によって設定された前記範囲を有効な情報とする補正情報に変換する変換部とを備える画像処理装置である。
【０００７】
また、本発明の一実施形態は、撮像対象を撮像した画像の信号強度情報を検出する撮像部と、上述の画像処理装置を備える撮像装置である。
【０００８】
また、本発明の一実施形態は、撮像対象を撮像した画像の信号強度情報を検出する撮像部と、前記撮像部の撮像条件に基づいて、前記撮像部によって検出された前記信号強度情報のうち有効な情報とする信号強度の範囲を、暗電流成分の信号強度であって暗電流の大きさに対応して複数の段階に区分されている当該信号強度の前記段階に応じた所定のしきい値によって設定する設定部と、検出された前記信号強度情報から、前記設定部によって設定された前記範囲を有効な情報とする補正情報に変換する変換部とを備える撮像装置である。
【０００９】
また、本発明の一実施形態は、撮像対象を撮像した画像の信号強度情報を検出する撮像部と、前記撮像部の温度を検出する検出部と、前記検出部が検出した前記温度に基づいて、前記撮像部によって検出された前記信号強度情報のうち有効な情報とする信号強度の範囲を、暗電流成分の信号強度であって暗電流の大きさに対応して複数の段階に区分されている当該信号強度の前記段階に応じた所定のしきい値によって設定する設定部と、検出された前記信号強度情報と前記設定部によって設定された前記範囲とに基づいて、前記信号強度情報から、設定された前記範囲を有効な情報とする補正情報に変換する変換部とを備える撮像装置である。
【００１０】
また、本発明の一実施形態は、撮像部によって検出された信号強度情報に基づいて、前記撮像部が生成する暗電流による暗電流成分を前記信号強度情報から抽出する抽出部と、前記抽出部によって抽出された前記暗電流成分の信号強度に基づいて、前記信号強度情報を補正するガンマ値を前記暗電流成分の信号強度であって前記暗電流の大きさに対応して複数の段階に区分されている当該信号強度の前記段階に応じた所定のしきい値によって設定する設定部と前記設定部によって設定された前記ガンマ値に基づいて、前記撮像部によって検出された前記信号強度情報をガンマ補正する補正部とを備える画像処理装置である。
【００１１】
また、本発明の一実施形態は、画像処理装置が備えるコンピュータに、撮像部によって検出された信号強度情報に基づいて、前記撮像部が生成する暗電流による暗電流成分を前記信号強度情報から抽出する抽出ステップと、前記抽出ステップによって抽出された前記暗電流成分の信号強度に応じて、前記信号強度情報のうち有効な情報とする信号強度の範囲を前記暗電流成分の信号強度であって前記暗電流の大きさに対応して複数の段階に区分されている当該信号強度の前記段階に応じた所定のしきい値によって設定する設定ステップと、検出された前記信号強度情報から、前記設定ステップによって設定された前記範囲を有効な情報とする補正情報に変換する変換ステップとを実行させるためのプログラムである。
【発明の効果】
【００１２】
本発明によれば、補正後の画像データの画質を向上させることができる。
【図面の簡単な説明】
【００１３】
【図１】本発明の第１の実施形態に係る画像処理装置を備える撮像装置の構成の一例を示す構成図である。
【図２】本実施形態における画像処理装置の構成の一例を示す構成図である。
【図３Ａ】本実施形態における画像処理装置が設定するしきい値の第１の例を示す模式図である。
【図３Ｂ】本実施形態における画像処理装置が設定するしきい値の第２の例を示す模式図である。
【図３Ｃ】本実施形態における画像処理装置が設定するしきい値の第３の例を示す模式図である。
【図３Ｄ】本実施形態における画像処理装置が設定するしきい値の第４の例を示す模式図である。
【図４】本実施形態におけるガンマ値記憶部に記憶されている情報の例を示す構成図である。
【図５】本実施形態における画像処理装置を備える撮像装置の動作の一例を示すフローチャートである。
【図６】本発明の第２の実施形態に係る撮像装置の構成の一例を示す構成図である。
【図７】本発明の第３の実施形態に係る撮像装置の構成の一例を示す構成図である。
【図８】本発明の第４の実施形態に係る画像処理装置の構成の一例を示す構成図である。
【発明を実施するための形態】
【００１４】
［第１の実施形態]
以下、図面を参照して、本発明の第１の実施形態を説明する。
図１は、本実施形態の撮像装置１００の構成を示す構成図である。
図１において、撮像装置１００は、撮像部１０、バッファメモリ部３０、画像表示処理部４０、表示部５０、記憶部６０、通信部７０、操作部８０、及び制御部９０を備える。また、撮像装置１００は、画像処理装置２０を備える。ここで、画像処理装置２０は、制御部９０の一部分と記憶部６０の一部分とを含む。
【００１５】
撮像部１０は、複数のレンズを備える光学系１１、撮像素子１２、及びＡ／Ｄ（アナログ／デジタル）変換部１３を備える。この撮像部１０は、設定された撮像条件（例えば、絞り値、露光時間、撮像感度など）に基づいて制御部９０によって制御される。また、撮像部１０は、光学系１１を介した光学像を撮像素子１２に結像させ、Ａ／Ｄ変換部１３によって変換された当該光学像に基づいて、撮像対象を撮像した画像の信号強度情報を含む画像データを生成する。すなわち、撮像部１０は、撮像対象を撮像した画像の信号強度情報を検出する。
なお、上述した光学系１１は、撮像装置１００に取り付けられて一体とされていてもよいし、撮像装置１００に着脱可能に取り付けられてもよい。
【００１６】
撮像素子１２は、例えば、受光面（不図示）に結像した光学像を電気信号（電圧信号）に変換して、Ａ／Ｄ変換部１３に供給する。撮像素子１２の受光面は、例えば、ＣＣＤ（Charge Coupled Device）イメージセンサなどの格子状に配置されている複数のイメージセンサ（不図示）で構成され、それぞれのイメージセンサは、結像された光学像を電圧値に変換する。
Ａ／Ｄ変換部１３は、撮像素子１２によって変換された電圧値、つまり、信号強度をアナログ−デジタル変換し、この変換したデジタル信号である画像データを出力する。この画像データには、撮像素子１２によって変換された電圧値がアナログ−デジタル変換された情報である信号強度情報が含まれている。この信号強度情報には、例えば、撮像素子１２によって撮像された光学像の光の強さを示す情報が含まれている。
【００１７】
操作部８０は、例えば、電源スイッチ、シャッターボタン、十字キー、確定ボタン、削除ボタン、及び、その他の操作キーを含み、使用者によって操作されることで、使用者の操作入力を受け付けて、制御部９０に供給する。
【００１８】
画像表示処理部４０は、バッファメモリ部３０に記憶されている画像データを表示部５０に表示させる表示制御処理を行う。ここでいうバッファメモリ部３０に記憶されている画像データとは、画像表示処理部４０に入力される画像データ（入力画像）のことであり、例えば、撮像画像データ、スルー画像データ、または、記憶媒体２００から読み出された撮像画像データのことである。
表示部５０は、例えば、液晶ディスプレイであって、撮像部１０によって得られた画像データや、操作画面等を表示する。
【００１９】
記憶部６０には、制御部９０によって撮像部１０が制御される際の撮像条件等が予め記憶されている。
バッファメモリ部３０は、撮像部１０によって撮像された画像データを、一時的に記憶する。
【００２０】
通信部７０は、カードメモリ等の取り外しが可能な記憶媒体２００と接続され、この記憶媒体２００への撮像画像データの書込み、読み出しを行う。
記憶媒体２００は、撮像装置１００に対して着脱可能に接続される記憶部であり、例えば、撮像部１０によって生成された撮像画像データを記憶する。
【００２１】
バス３００は、撮像部１０と、制御部９０と、操作部８０と、画像表示処理部４０と、表示部５０と、記憶部６０と、バッファメモリ部３０と、通信部７０とに接続され、各部から出力された画像データや制御信号等を転送する。
【００２２】
また、撮像装置１００は、画像処理装置２０を含む。ここで、画像処理装置２０は、制御部９０の一部分と記憶部６０の一部分とを含む。
【００２３】
制御部９０は、例えば、ＣＰＵ（Central processing unit）などを含み、撮像装置１００が備える各構成を制御する。制御部９０は、例えば、操作部８０を介して撮像指示を受け付けた際に、撮像素子１２とＡ／Ｄ変換部１３とを介して得られる画像データを、撮像された静止画や動画の撮像画像データとして、記憶媒体２００に記憶させる。また、制御部９０は、例えば、操作部８０を介して撮像指示を受け付けていない状態において、撮像素子１２とＡ／Ｄ変換部１３とを介して連続的に得られる画像データをスルー画（スルー画データ）として画像表示処理部４０に供給し、表示部５０に連続的に表示させる。
【００２４】
次に、図２を用いて、図１に示された画像処理装置２０の構成について説明する。
図２は、本実施形態における画像処理装置２０を示す構成図である。
この図において、画像処理装置２０は、抽出部９１と、設定部９２と、変換部９３と、補正部９４と、選択部９５と、ガンマ値記憶部６１とを備えている。なお、抽出部９１と、設定部９２と、変換部９３と、補正部９４と、選択部９５とは、制御部９０に含まれる。また、ガンマ値記憶部６１は、記憶部６０に含まれる。
【００２５】
抽出部９１は、撮像部１０によって検出された信号強度情報に基づいて、信号強度情報に含まれている撮像部１０撮像部に発生した暗電流の大きさを示す暗電流成分を抽出する。ここで、抽出部９１は、バス３００を介して撮像部１０によって検出された信号強度情報を取得する。本実施形態の抽出部９１は、例えば、撮像対象が撮像部１０によって撮像された第１の画像データに含まれる第１の信号強度情報とは別に、暗黒画像（例えば、撮像素子１２の受光面に光が入射しないようにされた状態の画像）が撮像部１０によって撮像された第２の画像データに含まれる第２の信号強度情報を取得する。暗黒画像は、撮像素子１２の受光面に光が入射しないようにされた状態によって撮像される。つまり、第２の信号強度情報には、撮像素子１２の暗電流成分による信号強度情報が含まれている。したがって、第１の信号強度情報と第２の信号強度情報とを生成する条件が一致していれば、第１の信号強度情報に含まれている暗電流成分と第２の信号強度情報とが一致する。そこで、抽出部９１は、取得した第１の信号強度情報と第２の信号強度情報とを比較した結果（例えば、第１の信号強度情報と第２の信号強度情報との差分）に基づいて、撮像部１０が生成する暗電流による暗電流成分を信号強度情報から抽出する。
【００２６】
なお、抽出部１０は、撮像部１０の一部の撮像素子１２の受光面に光が入射しないようにされた状態（オプティカルブラック状態）にして撮像された画像データに含まれる第１の信号強度情報に基づいて、撮像部１０が生成する暗電流による暗電流成分を信号強度情報から抽出してもよい。この場合、上述した第２の画像データが不要になるため、画像処理装置２０の抽出部９１は、短時間に暗電流成分を信号強度情報から抽出することができる。
このようにして、抽出部９１は、撮像部１０によって検出された信号強度情報に基づいて、撮像部１０が生成する暗電流による暗電流成分を信号強度情報から抽出する。
【００２７】
設定部９２は、抽出部９１によって抽出された暗電流成分に応じて、信号強度情報における有効な信号強度の範囲を設定する。ここで、信号強度の範囲とは、Ａ／Ｄ変換部１３のアナログ−デジタル変換によって所定のビット数（例えば、１２ビット）に量子化された画像データに含まれる信号強度情報の階調（例えば、４０９６階調）の範囲である。つまり、信号強度の範囲とは、例えば、画像データに含まれる信号強度のダイナミックレンジである。また、設定部９２は、範囲（つまり、信号強度の範囲）を、暗電流成分の信号強度の段階に応じた所定のしきい値によって設定する。ここで、信号強度の段階とは、信号強度情報の階調値を、連続した階調値の上限値と下限値とを定めて複数の連続する領域に分割した場合の階調値の領域である。つまり、暗電流成分の信号強度は、暗電流の大きさに対応して複数の段階に区分されている。本実施形態の設定部９２は、画像データに含まれる信号強度のダイナミックレンジを、暗電流成分の信号強度の段階に応じて段階的に設定される所定のしきい値によって設定する。例えば、設定部９２は、図３Ａ〜図３Ｄに示すように範囲を設定する。
【００２８】
図３Ａ〜図３Ｄは、設定部９２が設定するしきい値の一例を示す模式図である。
ここで、本実施形態のＡ／Ｄ変換部１３は、撮像素子１２によって変換された電圧値を例えば、１２ビット量子化によるアナログ−デジタル変換を行った画像データを出力する。この場合、Ａ／Ｄ変換部１３は、画像データに含まれる信号強度情報を、０〜４０９５の４０９６階調に量子化する。また、本実施形態においては、信号強度情報のうち有効な情報とする信号強度のダイナミックレンジは、所定の基準値が設定されている。本実施形態におけるダイナミックレンジの所定の基準値として、例えば、３６００階調が設定されている。つまり、この場合、信号強度の値は３６００階調で示される。また、この場合、所定の基準値であるしきい値の値は、例えば、３６００である。
【００２９】
そして、本実施形態の設定部９２は、抽出部９１によって抽出された暗電流成分の信号強度に応じて上記のダイナミックレンジを設定する。つまり、設定部９２は、所定の基準値に設定されているダイナミックレンジを、暗電流成分の信号強度に応じたダイナミックレンジに変更して、信号強度のダイナミックレンジを設定する。
例えば、設定部９２は、図３Ａに示すように、量子化された暗電流成分の信号強度が４０９６階調のうち、例えば、０〜３０の値を示す場合（図３Ａにおいては、３０の値を示す場合）には、信号強度情報のうち有効な情報とする信号強度のダイナミックレンジを、例えば、所定の基準値である３６００階調から、３８００階調に変更して設定する。ここで、暗電流成分の信号強度を、図３Ａ〜図３Ｄにおいてハッチングによって示している。この場合、所定のしきい値の値は、例えば、３８００である。
同様に、設定部９２は、図３Ｂに示すように、量子化された暗電流成分の信号強度が４０９６階調のうち、例えば、３１〜１００の値を示す場合（図３Ｂにおいては、１００の値を示す場合）には、信号強度情報のうち有効な情報とする信号強度のダイナミックレンジを、例えば、３７３０階調に設定する。この場合、所定のしきい値の値は、例えば、３７３０である。
同様に、設定部９２は、図３Ｃに示すように、量子化された暗電流成分の信号強度が４０９６階調のうち、例えば、１０１〜２００の値を示す場合（図３Ｄにおいては、２００の値を示す場合）には、信号強度情報のうち有効な情報とする信号強度のダイナミックレンジを、例えば、３６３０階調に設定する。この場合、所定のしきい値の値は、例えば、３６３０である。
同様に、設定部９２は、図３Ｄに示すように、量子化された暗電流成分の信号強度が４０９６階調のうち、例えば、２０１の値以上を示す場合（図３Ｄにおいては、２５０の値を示す場合）には、信号強度情報のうち有効な情報とする信号強度のダイナミックレンジを、例えば、３６００階調に設定する。この場合、所定のしきい値の値は、例えば、３６００である。
このように、本実施形態の設定部９２は、所定の基準値に設定されているダイナミックレンジを、抽出部９１によって抽出された暗電流成分の信号強度に応じて設定する。
【００３０】
再び、図２を参照して、図１に示された画像処理装置２０の構成について説明する。
変換部９３は、検出された信号強度情報から、設定部９２によって設定された範囲を有効な情報とする補正情報に変換する。本実施形態の変換部９３は、設定部９２によって設定された範囲として、例えば、上述したように３８００階調が設定された場合には、検出された信号強度情報から、３８００階調を有効な情報とする補正情報に変換する。同様に、変換部９３は、設定部９２によって設定された範囲として、例えば、上述したように３７３０階調が設定された場合には、検出された信号強度情報から、３７３０階調を有効な情報とする補正情報に変換する。設定部９２によって設定された範囲として、他の階調が設定された場合も同様である。
つまり、本実施形態の変換部９３によって変換された補正情報は、設定部９２によって設定された階調を有している。
【００３１】
選択部９５は、所定のガンマ値のうちから、補正部９４に供給されるガンマ値を選択する。例えば、図４に示すように、本実施形態のガンマ値記憶部６１には、複数のガンマ値情報がしきい値に関連付けられて、それぞれ予め記憶されている。
【００３２】
図４は、ガンマ値記憶部６１に記憶されている情報の一例を示す構成図である。
例えば、ガンマ値記憶部６１には、しきい値３８００に関連付けられて、第１のガンマ値情報が記憶されており、しきい値３７３０に関連付けられて、第２のガンマ値情報が記憶されている。また、ガンマ値記憶部６１には、他のしきい値についても同様に記憶されている。
本実施形態の選択部９５は、しきい値に関連付けられているガンマ値情報を、バス３００を介してガンマ値記憶部６１から読み出す。そして、選択部９５は、後述する補正部９４からしきい値を取得し、取得したしきい値に関連付けられているガンマ値情報を補正部９４に出力する。
【００３３】
再び、図２を参照して、補正部９４について説明する。
補正部９４は、変換部９３によって変換された補正情報を、しきい値の段階に応じた所定のガンマ値によってガンマ補正をする。本実施形態の補正部９４は、バス３００を介して設定部９２からしきい値を取得し、取得したしきい値に関連付けられているガンマ値情報を、選択部９５から取得する。そして、補正部９４は、変換部９３から取得した補正情報を、取得したガンマ値情報によってガンマ補正し、ガンマ補正後の補正情報を、バス３００を介して記憶部６０に記憶させる。
このようにして、本実施形態の画像処理装置２０は、撮像部によって検出された信号強度情報からガンマ補正後の補正情報に変換する画像処理を行う。
【００３４】
次に、本実施形態の画像処理装置２０を備える撮像装置１００の動作について説明する。
図５は、本実施形態の画像処理装置２０を備える撮像装置１００の動作を示すフローチャートである。
【００３５】
撮像部１０は、撮像部１０は、撮像素子１２の受光面に結像した光学像を電気信号（電圧信号）に変換する（ステップＳ１００）。
次に、Ａ／Ｄ変換部１３は、撮像素子１２から出力された当該光学像の電気信号をデジタル信号である画像データに変換して、変換した画像データを出力する（ステップＳ１１０）。
【００３６】
次に、抽出部９１は、Ａ／Ｄ変換部１３から出力された画像データを、バス３００を介して取得し、取得した画像データに含まれる信号強度情報に基づいて、撮像部１０が生成する暗電流による暗電流成分を信号強度情報から抽出する（ステップＳ１２０、抽出ステップ）。
次に、設定部９２は、抽出部９１によって抽出された暗電流成分の信号強度に応じて、信号強度情報のうち有効な情報とする信号強度の範囲のしきい値を設定する（ステップＳ１３０、設定ステップ）。つまり、本実施形態の設定部９２は、所定の基準値に設定されているダイナミックレンジを、抽出部９１によって抽出された暗電流成分の信号強度に応じて設定する。
【００３７】
次に、変換部９３は、検出された信号強度情報から、設定部９２によって設定された範囲を有効な情報とする補正情報に変換する（ステップＳ１４０、変換ステップ）。ここで、変換部９３は、設定部９２によって設定されたしきい値を、画像データの変換処理の飽和レベルとして入力される信号強度情報を補正情報に変換する。例えば、変換部９３は、入力された信号強度情報の階調が、設定されたしきい値（つまり、変換処理の飽和レベル）を超える場合には、入力された信号強度情報の階調値のうちしきい値を超える値について、しきい値と同じ階調値に変換する。このようにして、変換部９３は、入力された信号強度情報の階調値を補正情報の階調値に変換する。
次に、選択部９５は、所定のガンマ値のうちから、補正部９４に供給されるガンマ値を選択する（ステップＳ１５０）。上述したように、本実施形態の選択部９５は、設定部９２からバス３００を介して取得したしきい値に関連付けられているガンマ値をガンマ値記憶部６１から予め読み出しておく。そして、選択部９５は、設定部９２によって設定されたしきい値に基づいて、予め読み出しておいたガンマ値のうちから、当該しきい値に関連付けられているガンマ値を選択する。
【００３８】
次に、補正部９４は、変換部９３によって変換された補正情報を、選択部９５によって選択された、しきい値の段階に応じた所定のガンマ値によってガンマ補正をする（ステップＳ１６０）。そして、補正部９４は、ガンマ補正後の補正情報を、バス３００を介して記憶部６０に記憶させて、処理を終了する。
【００３９】
以上、説明したように、本実施形態の撮像装置１００の画像処理装置２０は、抽出部９１と、設定部９２と、変換部９３とを備えている。また、抽出部９１は、撮像部１０によって検出された信号強度情報に基づいて、撮像部１０が生成する暗電流による暗電流成分を信号強度情報から抽出する。また、設定部９２は、抽出部９１によって抽出された暗電流成分の信号強度に応じて、信号強度情報のうち有効な情報とする信号強度の範囲を設定する。また、変換部９３は、検出された信号強度情報から、設定部９２によって設定された範囲を有効な情報とする補正情報に変換する。これにより、画像処理装置２０は、画像データに含まれる暗電流成分の大きさに応じて、信号強度情報のうち有効な情報とする信号強度の範囲（つまり、画像データのダイナミックレンジ）を変えることができる。例えば、画像処理装置２０は、画像データに含まれる暗電流成分が、基準値に比べて小さい場合には、基準値に設定されている画像データのダイナミックレンジを拡大することができる。ここで、画像処理装置２０において、画像データのダイナミックレンジは画像データの画質に影響を及ぼす。例えば、撮像装置１００において、画像データのダイナミックレンジが広いほど、変換後の画像データの画質が向上する。つまり、本実施形態の撮像装置１００が備える画像処理装置２０は、補正後の画像データの画質を向上させることができる。
【００４０】
また、本実施形態の撮像装置１００の設定部９２は、信号強度情報のうち有効な情報とする信号強度の範囲（つまり、画像データのダイナミックレンジ）を、暗電流成分の信号強度の段階に応じた所定のしきい値によって設定する。このように、本実施形態の画像処理装置２０は、所定のしきい値を設計段階において予め設定することができる。これにより、本実施形態の画像処理装置２０は、しきい値を設定するために、例えば、別途演算部などを備える必要がなく、単純な構成によってしきい値を設定することができる。
【００４１】
また、本実施形態の撮像装置１００の画像処理装置２０は、変換部９３によって変換された補正情報を、しきい値の段階に応じた所定のガンマ値によってガンマ補正をする補正部９４を備えている。これにより、本実施形態の画像処理装置２０は、画像データのダイナミックレンジの変化に応じてガンマ値を正確に設定することができる。つまり、本実施形態の画像処理装置２０は、画像データの画質を向上させることができる。また、本実施形態の画像処理装置２０は、複数の所定のガンマ値を設計段階において予め設定することができる。これにより、本実施形態の画像処理装置２０は、ガンマ値を設定するために、例えば、別途演算部などを備える必要がなく、単純な構成によってガンマ値を設定することができる。
【００４２】
また、本実施形態の撮像装置１００の画像処理装置２０は、所定のガンマ値のうちから、補正部９４に供給されるガンマ値を選択する選択部９５を備えている。これにより、本実施形態の画像処理装置２０は、例えば、ガンマ値記憶部６１に記憶されている複数のガンマ値を、撮像部１０によって撮像される前に、ガンマ値記憶部６１から予め読み出しておくことができる。つまり、本実施形態の画像処理装置２０は、ガンマ値の補正処理の速度を向上させることができる。
【００４３】
また、本実施形態の撮像装置１００は、撮像対象を撮像した画像の信号強度情報を検出する撮像部１０と、上述した画像処理装置２０とを備えている。これにより、本実施形態の撮像装置１００は、補正後の画像データの画質を向上させることができる。
【００４４】
［第２の実施形態]
次に、図６を参照して、本発明の第２の実施形態を説明する。なお、第１の実施形態において説明した構成及び動作と同一の構成及び動作は、説明を省略する。
図６は、本実施形態の撮像装置１００の構成を示す構成図である。
図６に示すように、本実施形態の撮像装置１００は、撮像部１０と、設定部９２と、変換部９３とを備えている。
【００４５】
撮像部１０は、撮像対象を撮像した画像の信号強度情報を検出する。
設定部９２は、撮像部１０の撮像条件に基づいて、撮像部１０によって検出された信号強度情報のうち有効な情報とする信号強度の範囲を設定する。
変換部９３は、撮像部１０によって検出された信号強度情報から、設定部９２によって設定された範囲を有効な情報とする補正情報に変換する。
また、上記の撮像条件には、撮像部１０が撮像対象を撮像する撮像感度が含まれる。
ここで、撮像部１０の撮像素子１２によって発生する暗電流は、撮像部１０が撮像対象を撮像する撮像感度に応じて変化する。また、撮像素子１２によって発生する暗電流と、撮像部１０が撮像対象を撮像する撮像感度との関係は、撮像装置１００の設計段階において予め求めておくことができる。したがって、撮像装置１００は、撮像部１０が撮像対象を撮像する撮像感度に応じて、信号強度情報のうち有効な情報とする信号強度の範囲（つまり、画像データのダイナミックレンジ）を変えれば、撮像素子１２によって発生する暗電流の大きさに応じて、信号強度情報のうち有効な情報とする信号強度の範囲を変えることと同じ効果を得ることができる。つまり、本実施形態の撮像装置１００は、撮像部１０が生成する暗電流による暗電流成分を信号強度情報から抽出することなく、補正後の画像データの画質を向上させることができる。
【００４６】
なお、撮像条件には、撮像部１０が撮像対象を撮像する露光時間が含まれていてもよい。ここで、撮像部１０の撮像素子１２によって発生する暗電流は、撮像部１０が撮像対象を撮像する露光時間に応じて変化する。また、撮像素子１２によって発生する暗電流と、撮像部１０が撮像対象を撮像する露光時間との関係は、撮像装置１００の設計段階において予め求めておくことができる。したがって、撮像装置１００は、撮像部１０が撮像対象を撮像する露光時間に応じて、信号強度情報のうち有効な情報とする信号強度の範囲（つまり、画像データのダイナミックレンジ）を変えれば、撮像素子１２によって発生する暗電流の大きさに応じて、信号強度情報のうち有効な情報とする信号強度の範囲を変えることと同じ効果を得ることができる。つまり、本実施形態の撮像装置１００は、撮像部１０が生成する暗電流による暗電流成分を信号強度情報から抽出することなく、補正後の画像データの画質を向上させることができる。
【００４７】
［第３の実施形態]
次に、図７を参照して、本発明の第３の実施形態を説明する。なお、第１の実施形態、及び第２の実施形態において説明した構成及び動作と同一の構成及び動作は、説明を省略する。
図７は、本実施形態の撮像装置１００の構成を示す構成図である。
図７に示すように、本実施形態の撮像装置１００は、撮像部１０と、検出部１４と、設定部９２と、変換部９３とを備えている。
検出部１４は、例えば、温度センサを備えており、撮像部１０の温度を検出する。
設定部９２は、検出部１４が検出した温度に基づいて、撮像部１０によって検出された信号強度情報のうち有効な情報とする信号強度の範囲を設定する。
変換部９３は、検出された信号強度情報と設定部９２によって設定された範囲とに基づいて、信号強度情報から、設定された範囲を有効な情報とする補正情報に変換する。
【００４８】
ここで、撮像部１０の撮像素子１２によって発生する暗電流は、撮像部１０の温度、特に撮像素子１２の温度に応じて変化する。また、撮像素子１２によって発生する暗電流と、撮像部１０の温度との関係は、撮像装置１００の設計段階において予め求めておくことができる。したがって、撮像装置１００は、撮像部１０の温度に応じて、信号強度情報のうち有効な情報とする信号強度の範囲（つまり、画像データのダイナミックレンジ）を変えれば、撮像素子１２によって発生する暗電流の大きさに応じて、信号強度情報のうち有効な情報とする信号強度の範囲を変えることと同じ効果を得ることができる。つまり、本実施形態の撮像装置１００は、撮像部１０が生成する暗電流による暗電流成分を信号強度情報から抽出することなく、補正後の画像データの画質を向上させることができる。
【００４９】
［第４の実施形態]
次に、図８を参照して、本発明の第４の実施形態を説明する。なお、第１の実施形態、から第３の実施形態において説明した構成及び動作と同一の構成及び動作は、説明を省略する。
図８は、本実施形態の撮像装置１００が備える画像処理装置２０の構成を示す構成図である。
図８に示すように、本実施形態の画像処理装置２０は、抽出部９１と、設定部９２と、補正部９４と、ガンマ値記憶部６１とを備えている。
抽出部９１は、撮像部１０によって検出された信号強度情報に基づいて、撮像部１０が生成する暗電流による暗電流成分を信号強度情報から抽出する。
設定部９２は、抽出部９１によって抽出された暗電流成分の信号強度に基づいて、信号強度情報を補正するガンマ値を設定する。例えば、本実施形態のガンマ値記憶部６１には、暗電流成分の信号強度の段階に応じて設定されたしきい値に関連付けられて、ガンマ値情報が予め記憶されている。そして、設定部９２は、抽出部９１によって抽出された暗電流成分の信号強度の段階に応じてしきい値を求め、求めたしきい値に関連付けられているガンマ値情報を、バス３００を介してガンマ値記憶部６１から読み出す。そして、設定部９２は、読みだしたガンマ値情報を、信号強度情報を補正するガンマ値として設定する。
補正部９４は、設定部９２によって設定されたガンマ値に基づいて、撮像部１０によって検出された信号強度情報をガンマ補正する。
【００５０】
このように、本実施形態の撮像装置１００の画像処理装置２０は、抽出部９１によって抽出された暗電流成分の信号強度に基づいて設定されたガンマ値によって、画像データをガンマ補正する。これにより、本実施形態の画像処理装置２０は、画像データに含まれている暗電流成分の変化に応じてガンマ値を正確に設定することができる。つまり、本実施形態の画像処理装置２０は、画像データの画質を向上させることができる。
【００５１】
以上、本発明の実施形態を図面を参照して詳述してきたが、具体的な構成はこの実施形態に限られるものではなく、本発明の趣旨を逸脱しない範囲で適宜変更を加えることができる。
【００５２】
なお、上記の実施形態における制御部９０又はこの制御部９０が備える各部は、専用のハードウェアにより実現されるものであってもよく、また、メモリおよびマイクロプロセッサにより実現させるものであってもよい。
【００５３】
なお、この制御部９０又は制御部９０が備える各部は、専用のハードウェアにより実現されるものであってもよく、また、この制御部９０又は制御部９０が備える各部はメモリおよびＣＰＵ（中央演算装置）により構成され、制御部９０又は制御部９０が備える各部の機能を実現するためのプログラムをメモリにロードして実行することによりその機能を実現させるものであってもよい。
【００５４】
また、制御部９０又は制御部９０が備える各部の機能を実現するためのプログラムをコンピュータ読み取り可能な記録媒体に記録して、この記録媒体に記録されたプログラムをコンピュータシステムに読み込ませ、実行することにより、制御部９０又は制御部９０が備える各部による処理を行ってもよい。なお、ここでいう「コンピュータシステム」とは、ＯＳや周辺機器等のハードウェアを含むものとする。
【００５５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【符号の説明】
【００５６】
１０…撮像部、１４…検出部、２０…画像処理装置、９１…抽出部、９２…設定部、９３…変換部、９４…補正部、９５…選択部、１００…撮像装置
【図１】
0005906884.tif 000002
【図２】
0005906884.tif 000003
【図３Ａ】
0005906884.tif 000004
【図３Ｂ】
0005906884.tif 000005
【図３Ｃ】
0005906884.tif 000006
【図３Ｄ】
0005906884.tif 000007
【図４】
0005906884.tif 000008
【図５】
0005906884.tif 000009
【図６】
0005906884.tif 000010
【図７】
0005906884.tif 000011
【図８】
0005906884.tif 000012